(57)【要約】【課題】外部の発熱源からの熱によるシャッタ精度の低下を抑制することができる撮像装置を提供する。【解決手段】被写体像を電気信号に変換する撮像素子と、先幕羽根群および後幕羽根群を有するメカニカルシャッタを備えた撮像装置において、前記メカニカルシャッタの近傍の発熱源と先幕吸着部の距離と、前記発熱源と後幕吸着部の距離が異なるとき、前記発熱源と前記メカニカルシャッタの間に位置するように前記発熱源に固定された放熱部材が、前記放熱部材と前記先幕吸着部および前記放熱部材と前記後幕吸着部の距離が略均等となるように配置されていることを特徴とする構成とした。【選択図】  図６
2015225188.tif 000002
【特許請求の範囲】
【請求項１】
被写体像を電気信号に変換する撮像素子（１３０）と、
走行方向への駆動力をチャージした先幕駆動レバー（３０５）と、前記先幕駆動レバー（３０５）に係合された先幕アマチャ（３０５ａ）と先幕用電磁石（３１４）が電磁力によって吸着状態にある先幕吸着部（３２０）を有し、先幕用電磁石（３１４）の吸着を電磁的に解除することで、前記撮像素子（１３０）の撮像領域の遮光を解除するように走行する、前記先幕駆動レバー（３０５）に係合した先幕羽根群（３０３）および、
走行方向への駆動力をチャージした後幕駆動レバー（３０８）と、前記後幕駆動レバー（３０８）に係合された後幕アマチャ（３０８ａ）と後幕用電磁石（３１５）が電磁力によって吸着状態にある後幕吸着部（３２１）を有し、後幕用電磁石（３１５）の吸着を電磁的に解除することで、前記先幕羽根群（３０３）の走行後に、撮像領域（３０２ａ）を遮光するように走行する、前記後幕駆動レバー（３０８）に係合した後幕羽根群（３０４）を有するフォーカルプレーン方式のメカニカルシャッタ（３００）を備えた撮像装置において、
前記メカニカルシャッタ（３００）の近傍の発熱源（１７１、または１３３）と前記先幕吸着部（３２０）の距離と、前記発熱源（１７１、または１３３）と前記後幕吸着部（３２１）の距離が異なるとき、
前記発熱源（１７１、または１３３）に固定された放熱部材（１７３）が、
前記放熱部材（１７３、１７４）と前記先幕吸着部（３２０）および
前記放熱部材（１７３、１７４）と前記後幕吸着部（３２１）の距離が均等となるように配置されていることを特徴とする撮像装置。
【請求項２】
前記放熱部材（１７３、１７４）は、前記発熱源（１７１、または１３３）と前記シャッタ（３００）の間に位置するように配置されていることを特徴とする請求項１に記載の撮像装置。
【請求項３】
前記放熱部材（１７３、１７４）は、光軸を法線とする平面の上下方向において、前記先幕吸着部（３２０）と前記後幕吸着部（３２１）を含む長さ（Ｌ１）を包含する領域を有していることを特徴とする請求項１又は請求項２に記載の撮像装置。
【請求項４】
前記放熱部材（１７３、１７４）は、前記先幕吸着部（３２０）および、前記後幕吸着部（３２１）を、光軸を法線とする平面上で覆う領域を有することを特徴とする請求項１乃至請求項３の何れか一項に記載の撮像装置。
【請求項５】
前記放熱部材（１７３、１７４）は、光軸を法線とする平面上で、走行後の位置にある前記先幕駆動レバー（３０５）の前記アマチャ（３０５ａ）部を覆う領域を有することを特徴とする請求項１乃至請求項４の何れか一項に記載の撮像装置。
【発明の詳細な説明】
【技術分野】
【０００１】
本発明は、撮像装置に関する。特に、メカニカルシャッタを有する撮像装置に関するものである。
【背景技術】
【０００２】
従来、シャッタの先幕と後幕それぞれに対応した電磁石に通電させることでシャッタ走行用バネのチャージを保持しておき、電磁石の通電を順次解除することで露光を行ういわゆるダイレクト保持形式のシャッタが知られている。この形式のシャッタにおいては、電磁石による保持力は温度によって変化するため、先幕および後幕の電磁石温度に差が生じると、それぞれの保持力が変化して通電解除後の切れ時間に差が生じるために設定したシャッタ秒時の精度が低下するという問題が知られている。
【０００３】
この問題に対する解決策の提案として、特許文献１に示すように、後幕マグネットの温度を推定し、温度変化による切れ時間変化を補償したものがある。
【先行技術文献】
【特許文献】
【０００４】
【特許文献１】特開２０１０−１８１５２２号公報
【発明の概要】
【発明が解決しようとする課題】
【０００５】
しかしながら、上述の特許文献１に開示された従来技術は、いわゆるライブビュー状態を実施する際、主に後幕のみを通電保持してシャッタ開口状態を維持する必要のあるシャッタにおいて、後幕への通電保持に伴う温度上昇に対し、電子先幕とメカ後幕との精度変化を補正することに主眼を置いている。
【０００６】
特許文献１を応用し、先幕および後幕がともにメカ先幕である場合に、先幕および後幕それぞれに温度変化の補償をすることは出来るものの、シャッタ外部の温度変化が加わり、先幕および後幕の温度差が大きくなりすぎると補償しきれなくなることがある。また、温度差を補償する場合であっても、カメラとしての精度確保のために環境温度による補正やシャッタ耐久による補正も実施する可能性を考えると、先幕駆動部および後幕駆動部の温度差は少ない方が望ましい。
【０００７】
さらに、近年のデジタルカメラでは画素数の増大や読み出し速度の高速化、また外部接続機器との通信や動画撮影機能の追加により必要な情報処理量、処理時間は増加傾向となり、それに伴いカメラ内部の情報処理装置の発熱量が増大している。そのため、通電保持以外にもシャッタ外部から発生する熱によってシャッタが加熱され、先幕および後幕に温度差が生じてしまうことがある。
【０００８】
そこで、本発明の目的は、シャッタの先幕および後幕の電磁石の温度差の発生を抑制することで、温度変化によるシャッタ精度の低下を抑制することである。
【課題を解決するための手段】
【０００９】
上記目的を達成するために、本発明に係る撮像装置の構成は、
被写体像を電気信号に変換する撮像素子（１３０）と、
走行方向への駆動力をチャージした先幕駆動レバー（３０５）と、前記先幕駆動レバー（３０５）に係合された先幕アマチャ（３０５ａ）と先幕用電磁石（３１４）が電磁力によって吸着状態にある先幕吸着部（３２０）を有し、先幕用電磁石（３１４）の吸着を電磁的に解除することで、前記撮像素子（１３０）の撮像領域の遮光を解除するように走行する、前記先幕駆動レバー（３０５）に係合した先幕羽根群（３０３）および、
走行方向への駆動力をチャージした後幕駆動レバー（３０８）と、前記後幕駆動レバー（３０８）に係合された後幕アマチャ（３０８ａ）と後幕用電磁石（３１５）が電磁力によって吸着状態にある後幕吸着部（３２１）を有し、後幕用電磁石（３１５）の吸着を電磁的に解除することで、前記先幕羽根群（３０３）の走行後に、撮像領域（３０２ａ）を遮光するように走行する、前記後幕駆動レバー（３０８）に係合した後幕羽根群（３０４）を有するフォーカルプレーン方式のメカニカルシャッタ（３００）を備えた撮像装置において、
前記メカニカルシャッタ（３００）の近傍の発熱源（１７１、または１３３）と前記先幕吸着部（３２０）の距離と、前記発熱源（１７１、または１３３）と前記後幕駆動吸着部（３２１）の距離が異なるとき、
前記発熱源（１７１、または１３３）と前記シャッタ（３００）の間に位置するように前記発熱源（１７１、または１３３）に固定された放熱部材（１７３）が、
前記放熱部材（１７３、１７４）と前記先幕吸着部（３２０）および
前記放熱部材（１７３、１７４）と前記後幕吸着部（３２１）の距離が略均等となるように配置されていることを特徴とする。
【発明の効果】
【００１０】
本発明によれば、外部の発熱源からの熱によるシャッタ精度の低下を抑制することができる。
【図面の簡単な説明】
【００１１】
【図１】本発明の実施形態におけるシャッタの分解斜視図である。
【図２】本発明の実施形態におけるシャッタのチャージ完了状態を示す平面図である。
【図３】本発明の実施形態におけるシャッタの走行前待機状態を示す平面図である。
【図４】本発明の実施形態におけるシャッタの先幕走行完了状態を示す平面図である。
【図５】本発明の実施形態におけるシャッタの後幕走行完了状態を示す平面図である。
【図６】本発明の第一の実施形態における支持固定板金の例を示す平面図である。
【図７】本発明の第一の実施形態における支持固定板金の別の例を示す平面図である。
【図８】本発明の第一の実施形態における支持固定板金のさらに別の例を示す平面図である。
【図９】従来の支持固定板金の例を示す平面図である。
【図１０】本発明の第二の実施形態における放熱シートの例を示す平面図である。
【図１１】本発明の実施形態における撮像装置の構成を示す模式図である。
【発明を実施するための形態】
【００１２】
以下に、本発明の好ましい実施の一形態を、添付の図面に基づいて詳細に説明する。
【実施例１】
【００１３】
＜前提１：カメラの全体動作説明＞
図１１は、本発明を実施した撮像装置の一例としてのデジタル一眼レフカメラ本体１０１および交換レンズ２００の模式図である。
【００１４】
交換レンズ２００の撮像レンズ２０１を透過した光束は、カメラ本体１０１のメインミラー１５１に入射する。本実施例におけるメインミラー１５１は撮影光路内を進退可能なミラーである。メインミラー１５１はハーフミラーとなっており、このメインミラー１５１により反射された光束はファインダ１６０へ導かれる。
【００１５】
メインミラー１５１によってファインダ１６０へと導かれた光束は、ピント板１６１に被写体像を結像する。使用者はピント板１６１、ペンタプリズム（またはペンタミラー）１６２、接眼レンズ１６３で構成されたファインダ１６をのぞき、ペンタプリズム１６２および接眼レンズ１６３を介してこのピント板１６１上の被写体像を観察する。
【００１６】
メインミラー１５１を透過した光束は、サブミラー１５２により下方へ反射され、焦点検出ユニット１３１へと導かれる。この焦点検出ユニット１３１は、撮像レンズ２０１のデフォーカス量を検出し、オートフォーカス（ＡＦ）制御部１３２へ情報を伝える。ＡＦ制御部１３２は、合焦状態となるように撮像レンズ２０１を移動するためのレンズ駆動量を演算する。そして、演算したレンズ駆動量を交換レンズ２０に伝達する。交換レンズ２００は不図示のアクチュエータを制御して、撮像レンズ２０１を駆動させて焦点調節を行う。
【００１７】
また、ＡＦ制御部１３２は被写体の輝度がデフォーカス検出に足りないと判断した場合、ＬＥＤと周辺回路によって構成されているＡＦ補助光投光ユニット１３３を発光させる。デジタル一眼レフカメラにおいては静止画のみならず動画を撮影することが可能なものもあり、動画撮影時にはＡＦ補助光ユニット１３３を補助照明、いわゆるビデオライトとして用いても良い。ＡＦ補助光投光ユニットは、前述した機能のほかに、不図示のストロボを発光させて撮影する際に事前に一定時間発光し、ストロボ光が人物被写体の網膜に照射されて反射し赤く光る、いわゆる赤目を軽減させるランプとしての機能を有していてもよい。
【００１８】
メインミラー１５１およびサブミラー１５２からなるミラーユニット１５０はそれぞれ不図示の回動可能な保持枠によって保持されている。撮影時には、ミラーユニット１５０が不図示のモータによる駆動で回動し、交換レンズ２００を透過した光束を撮像ユニット１３０へ導くことができるように退避動作を行う。
【００１９】
サブミラー１５２の光軸後方には先幕および後幕を有するいわゆるフォーカルプレーン方式のメカニカルシャッタで構成されたシャッタユニット３００が配置されている。シャッタユニット３００の詳細は後述する。シャッタユニット３００の光軸後方には、筐体に固定された撮像素子からなる撮像ユニット１３０がある。
【００２０】
撮影時に撮像ユニット１３０で露光した被写体像は電気信号に変換される。変換された撮像情報はシステム制御部１４０で各種画像処理が行われる。システム制御部１４０で処理された撮像情報はメモリ１４４や外部メモリーカードによる記録装置１４５へ記録される。システム制御部１４０には電力制御部１４２による制御に従い、バッテリーからなる電源１４１から電力が供給される。また撮影情報やカメラ本体１０１の各種設定状態は、ＬＣＤ（液晶表示器）等で構成されたモニタである表示部１４３に表示される。
【００２１】
＜Ｗｉ−Ｆｉモジュール＞
無線通信モジュール１７１および無線通信制御部１７２は、カメラ本体に内蔵された無線通信機能である。無線通信モジュール１７１はシステム制御部１４０および無線通信制御部１７１ｂの制御によって電波発信を行い、撮影情報をカメラ本体１０１から不図示の外部携帯機器や無線通信ネットワーク上へ送信する。また、同じく外部携帯機器からの電波発信を受信することで、外部機器からのカメラ制御情報や画像受信、カメラ本体１０１の各種設定変更、リモート操作などの操作を行うことが出来る。
【００２２】
＜前提２：ＳＨの基本動作説明＞
次に、図１を用いて、シャッタユニット３００の詳細を説明する。
【００２３】
＜ＳＨの構成説明＞［図１：部品説明］
シャッタ地板３０２は、不図示のカメラ本体のミラーボックスに固定されており、先幕羽根群３０３および後幕羽根群３０４の駆動機構を構成する各部品が取り付けられている。
【００２４】
先幕羽根群３０３と係合する先幕駆動レバー３０５には先幕円筒部３０６が設けられており、先幕羽根レバー３０５は先幕円筒部３０６に回動可能に支持されており、シャッタ地板３０２に配設された先幕回動軸３０７に回動可能に支持されている。先幕駆動レバー３０５は、先幕円筒部３０６に巻き付けられた先幕用コイルバネ３０８ｃの力によって、先幕円筒軸３０７を中心に反時計まわりに回転する方向へ付勢されている。
【００２５】
後幕駆動レバー３０８も先幕同様である。後幕羽根群３０４と係合する後幕駆動レバー３０８には後幕円筒部３０９が設けられており、後幕羽根レバー３０８は後幕円筒部３０９に回動可能に支持されている。後幕駆動レバー３０８はシャッタ地板３０２に配設された後幕回動軸３１０に回動可能に支持されている。後幕駆動レバー３０８も先幕と同様に、後幕円筒部３０９に巻きつけられた後幕用コイルバネ３０８ｃの力によって、後幕円筒軸３１０を中心に反時計まわりに回転する方向へ付勢されている。
【００２６】
カムギア３１１はシャッタ地板３０２に設けられたカムギア軸３１２を中心に回動可能に支持されている。後述するチャージ完状態では、先幕駆動レバー３０５に配設された先幕コロ３０５ｂおよび後幕駆動レバー３０８に配設された後幕コロ３０８ｂは、カムギア３１１に形成された先幕カム３１１ａおよび後幕カム３１１ｂとそれぞれ接する。
【００２７】
また、先幕駆動レバー３０５および後幕駆動レバー３０８には先幕アマチャ３０５ａ及び後幕アマチャ３０８ａがそれぞれ配設され、ＭＧ地板３１３に配設された先幕用電磁石３１４および後幕用電磁石３１５に電圧を印加することで吸着される。
【００２８】
モータ３１６はシャッタ地板１に取り付けられている。モータ３１６の駆動力は、モータ先端に取り付けられたピニオンギア３１６ａおよびシャッタ地板３０２の背面側に配置された減速ギア列３１７を介してカムギア３１１に伝達され、カムギア３１１が回転する。この回転によって、先幕駆動レバー３０５、後幕駆動レバー３０８の回動動作が行われ、先幕羽根群３０３および後幕羽根群３０４の往復動作を行うことができる。
【００２９】
＜ＳＨの動作説明＞
［図２：チャージ完状態］
次にシャッタユニット３００の構成について、図１に加えて、図２〜図５を参照しながら詳細に説明する。図２〜図５は被写体側から見た、主要部材のみを抜き出した平面図である。
【００３０】
図２はシャッタユニット３００のチャージ完状態を示している。このとき、シャッタユニットは前の撮影から先幕および後幕をチャージし終えている。チャージ完状態では、モータ３１６による駆動でカムギア３１１が反時計まわりに回転し、先幕カム３１１ａが先幕コロ３０５ｂを押しあげたことで先幕駆動レバー３０５が時計回りにチャージされ、先幕アマチャ３０５ａが先幕用電磁石３１４に付勢された状態で停止している。接触した状態の先幕アマチャ３０５ａと先幕用電磁石３１４を先幕吸着部３２０と呼ぶことにする。
【００３１】
後幕も同様に、後幕カム３１１ｂの回転により後幕コロ３０８ｂを押し上げたことで後幕駆動レバー３０８が時計回りにチャージされ、後幕アマチャ３０８ａが後幕用電磁石３１５に付勢されている状態で停止している。先幕吸着部３２０と同じように、接触した状態の後幕アマチャ３０８ａと後幕用電磁石３１５を後幕吸着部３２１と呼ぶことにする。
【００３２】
このとき、先幕駆動レバー３０５と係合する先幕羽根群３０３は閉状態にあり、シャッタ地板３０２のシャッタ開口部３０２ａを塞いでいる。シャッタユニット３００の光軸後方には撮像ユニット１３０があるが、先幕羽根群３０３が閉状態にあるとき、撮像ユニット１３０が有する撮像素子の撮像領域は、先幕羽根群３０３によって遮光された状態にある。また後幕駆動レバー３０８と係合する後幕羽根群３０４は開状態にあり、シャッタ開口部３０２ａの上部にあるシャッタ地板３０２とカバー板３１９（図１参照）の収納スペースに折りたたまれて収納されている。
【００３３】
［図３：セット解除］
図３はシャッタユニット３００の走行前準備状態を示している。システム制御部１４０およびシャッタ制御部３０１から撮影指示が出されると、シャッタユニット３００は図２に示すチャージ完状態から、まず先幕用電磁石３１４および後幕用電磁石３１５が通電され、先幕アマチャ３０５ａおよび後幕アマチャ３０８ａがそれぞれ電磁力によって吸着される。
【００３４】
モータ３１６の駆動によってカムギア３１１が反時計まわりに回転し、はじめに先幕カム３１１ａと先幕コロ３１３の係止が外れ、次に後幕カム３１１ｂと後幕コロ３１４の係止が外れ、図３に示すように先幕と後幕両方の駆動レバーの係止が外れた状態となって撮像素子への露光準備が出来る。
【００３５】
次にシャッタ制御部３０１があらかじめ設定されたタイミングで先幕用電磁石３１４の通電を切断する。すると先幕吸着部３２０において先幕用電磁石３１４と先幕アマチャ３０８ａとの電磁力による吸着が解除され、先幕駆動レバー３０５はチャージされたバネの力で反時計方向へ回転する。先幕駆動レバー３０５の回転運動は係合された先幕羽根群３０３が有する周知の平行リンク機構によって平行移動へと変換され、先幕羽根群はシャッタ開口３０２ａ部を上から下へ、シャッタ開口３０２ａの遮光を解除するように走行され、シャッタユニット３００の光軸後方に位置する不図示の撮像ユニット１３０への露光が開始される。先幕走行完了後のシャッタユニット３００を図４に示す。
【００３６】
先幕用電磁石３１４の通電が切られたのち所定の露光時間が経過すると、シャッタ制御部３０１によって後幕用電磁石３１５の通電も切られる。すると後幕吸着部３２１では後幕用電磁石３１５と後幕用アマチャ３０８ａとの吸着が解除され、後幕駆動レバー３０８はチャージされたバネの力で反時計方向へ回転し、係合された後幕羽根群３０４のリンク機構によりその回転運動は平行移動へ変換される。後幕羽根群はシャッタ開口３０２ａを遮光するように上から下へ走行し、不図示の撮像ユニット１３０の撮像領域を遮光する。後幕走行完了後のシャッタユニット３００を図５に示す。
【００３７】
露光終了後はモータ３１６の駆動によってカムギア３１１がさらに回転し、走行後の先幕駆動レバー３０５および後幕駆動レバー３０８をチャージし、図２のチャージ完状態に戻る。
【００３８】
図２〜図５を用いて説明したシャッタユニット３００の動作はカムギアによるチャージを例に説明したが、その他にも、カムではなくチャージレバーを用いて先幕駆動レバー３０５および後幕駆動レバー３０８のチャージを行う方式でも良い。
【００３９】
［温度上昇がシャッタに与える影響］
このとき、シャッタの露出精度は、先幕吸着部３２０および後幕吸着部３２１の各電磁石への通電を切断した後、磁力を喪失した電磁石からアマチャが離れるまでのタイミング、いわゆる切れ時間に大きく影響される。この切れ波形は電磁石の温度によって変化することが知られており、電磁石のコイル温度が上昇すると保持力が低下し、切れ時間は一般に短くなる。
【００４０】
＜従来実施例：上側にあって温度に差が出ている場合＞
［Ｗｉ−Ｆｉ板金の構成］
次に図６から図９を用いて本発明の第一の実施例について詳細な説明を行う。図９は従来構成のカメラ本体１０１において、シャッタユニット３００と、その光軸方向前方に設置された無線通信モジュール１７１を抜粋して示している。
【００４１】
無線通信モジュール１７１は、電波送受信を行うアンテナ部１７１ａ、通信情報を処理する無線通信制御部１７１ｂが無線モジュール基板１７１ｃ上に実装され、モジュール固定ネジ１７２によって放熱部材と支持部材としての支持固定板金１７３に締結されている。また無線モジュール基板１７１ｃが支持固定板金１７３と接触する部分は銅箔部が露出しており、締結部を通して無線通信モジュール１７１と支持固定板金１７３は電気的に接地されている。
【００４２】
支持固定板金１７３は不図示のミラーボックスや不図示の本体シャシーに締結され、電気的な接地や伝熱が行われる。そのため、支持固定板金１７３は伝熱性や導電性の良い部材で構成されるのが望ましく、たとえばアルミニウムなどが使用されるが、その他の特性や設計自由度を考慮して伝熱性や導電性を有する樹脂を使用してもよい。
【００４３】
無線通信モジュール１７１は、無線通信処理実施に伴い、主に無線通信制御部１７１ｂから熱を発生する。発生した熱はモジュール固定ネジ１７２および無線モジュール基板１７１ｃを通じて支持固定板金１７３まで伝達される。支持固定板金１７３は伝熱性の高い部材で出来ており、無線通信制御の実施によって発生した熱は、支持固定板金１７３の全面に略均等に拡散し、支持固定板金１７３はその全部が無線通信モジュール１７１による発熱の放熱面として機能する。
【００４４】
無線通信モジュール１７１は、カメラ外部機器との無線通信を行う際の電波特性を優先して配置される。そのため、図９のように、シャッタユニット３００の、先幕吸着部３２０および後幕吸着部３２１と発熱部（この場合は無線通信制御部１７１ｂ）の距離が均等になるように配置出来ない場合がある。
【００４５】
無線通信モジュール１７１から発生した熱はモジュール固定ネジ１７２および無線モジュール基板１７１ｃを経由して支持固定板金１７３まで拡散するが、図９に示す構成では、支持固定板金１７３と先幕吸着部３２０の距離は、支持固定板金１７３と後幕吸着部３２１の距離よりも短いため、無線通信処理の継続に伴い無線通信モジュール１７１および支持固定板金１７３の温度が上昇した場合、後幕吸着部３２１の温度は先幕吸着部３２０に比べ高くなる。
【００４６】
その結果、温度差が発生した状態でレリーズ動作を行うこととなるため、シャッタユニットの先幕用電磁石３１４の通電を切ってから先幕の走行が開始されるまでの切れ時間が、後幕用電磁石３１５の電源を切ってから後幕の走行が開始されるまでの切れ時間よりも長くなり、撮影時の狙いよりもオーバー露出になってシャッタ精度が低下する。
【００４７】
この露出精度低下を防ぐためには、先幕及び後幕の近傍に温度計を配置して温度補償を実施する必要があり、コストアップおよび制御複雑化の原因となっていた。また、温度補償を実施しても、無線通信処理が長時間に及ぶなどの場合により無線通信モジュール１７１および支持固定板金１７３の温度上昇が著しい場合、先幕吸着部３２０および後幕吸着部３２１の温度差が開きすぎてしまい温度差を補償しきれない場合もあった。
【００４８】
＜実施例１：ＳＨ前に位置するＷｉ−Ｆｉユニット構成＞
図６に本発明の第一の実施形態における、シャッタユニット３００とその光軸方向前方に設置された無線通信モジュール１７１を抜粋して示している。
【００４９】
シャッタユニット３００の、
後幕用電磁石３１５の上端から先幕用電磁石３１４と吸着している先幕アマチャ３０５ａの下端までの高さ方向の長さをＬ１、
後幕用電磁石３１５の上端から後幕用電磁石３１５と吸着している後幕アマチャ３０８ａの下端までの高さ方向の長さをＬ２、
先幕用電磁石３１４の上端から先幕用電磁石３１４と吸着している先幕アマチャ３０５ａの下端までの高さ方向の長さをＬ３とする。
【００５０】
図６に示す例において、支持固定板金１７３は、光軸を法線とする平面の上下方向において、Ｌ２およびＬ３を覆う領域、より望ましくはＬ１を覆う領域に拡大されている。こうすることで、先幕吸着部３２０および後幕吸着部３２１のそれぞれと支持固定板金１７３の距離が略同等となる。その結果、無線通信モジュール１７１から発生し、支持固定板金１７３へ拡散した熱による先幕吸着部３２０および後幕吸着部３２１の上昇温度の差を抑制することができ、シャッタ精度の低下を抑えることが可能となる。
【００５１】
＜実施例２：ヨークとアマチャを囲うように延長する＞
図７ではさらに第一の実施形態における別の例を示す。無線通信モジュール１７１と先幕吸着部３２０および後幕吸着部３２１が図中左右方向、すなわち光軸を法線とする平面上で左右にずれた位置に配置されている場合、先幕及び後幕吸着部の発生をより抑制するため、図７に示すような板金突出部１７３ｃおよび１７３ｄをさらに設け、支持固定板金１７３が先幕吸着部３２０および後幕吸着部３２１を、光軸を法線とする平面上で覆うよう拡大してもよい。
【００５２】
＜実施例３：ＬＶ時にも加熱できるように＞
図８には、本発明の第一の実施例におけるさらなる別の例を記載する。シャッタユニット３００では、カム３１１の先幕カム３１１ａと後幕カム３１１ｂの解除位相がずらされていることにより、先幕コロ３０５ｂと後幕コロ３０８ｂの緊定を別々に解除することが出来る。
【００５３】
図８に示す状態は、先幕カム３１１ａが先幕コロの係止を解除しているが、後幕カム３１１ｂは後幕コロを係止している状態である。この状態で先幕用電磁石３１４の通電を解除して先幕駆動レバー３０５とそれに係合した先幕羽根群３０３を走行させると、シャッタ開口３０２ａが開口し撮像モジュール１３０の撮像領域の遮光が解除され、露光可能な状態となる。このとき後幕羽根群３０４は、係合した後幕駆動レバー３０８の後幕コロ３０８ｂが後幕カム３１１ｂによって機構的にロックされているため、走行できない状態となっている。
【００５４】
したがって後幕用電磁石３１５の通電を解除しても後幕が走行せず、シャッタ開口３０２ａを開放状態に維持するために後幕を通電保持しておく必要がない。この状態は主にライブビュー撮影時に用いられ、以降ライブビュー状態と呼ぶことにする。
【００５５】
しかしこのライブビュー状態では、先幕羽根群３０３と後幕駆動レバー３０５は走行した後の状態であるため、先幕アマチャ３０５ａはＬ１およびＬ３の範囲よりも図中下方に位置している。この状態で無線通信モジュール１７１が発熱し、支持固定板金１７３へ熱が拡散した場合、先幕アマチャ３０５ａが受ける熱量は後幕用電磁石３１５、後幕アマチャ３０８ａ、先幕用電磁石３１４のそれぞれに比べ少ないものとなり、後幕および先幕の切れ時間差の変化、すなわちシャッタ精度低下の原因となる。
【００５６】
そこで、図８に示すように、走行後の先幕アマチャ３０５ａと支持固定板金１７３の距離も、後幕用電磁石３１５、走行前の後幕アマチャ３０８ａ、先幕用電磁石３１４と略同等になるように、支持固定板金の外端１７３ｂおよび１７３ｃを光軸に垂直な平面上で板金突出部１７３ｃおよび１７３ｄを覆うようさらに拡大することで、ライブビュー状態後に先幕及び後幕を用いた撮影を行う場合のシャッタ精度低下も抑制することが出来る。
【００５７】
＜実施例４：赤目ＬＥＤからグラファイトシートで伝熱する＞
以上の説明では、無線通信モジュール１７１が発熱した場合の実施例について記載したが、発熱源は無線通信モジュール１７１に限定されるものではない。別の発熱源において本発明を実施した、第二の実施例を、図１０を参照しながら説明する。
【００５８】
図１０のシャッタユニット３００は、第一の実施例とシャッタ構造は同一であるが、撮影光軸に対して基本構成が左右対称となっている。また先幕及び後幕はカムギアによってチャージされるのではなく、チャージレバー３８０によって行われる。
【００５９】
シャッタユニット３００の光軸方向前方（被写体側）に、不図示のカメラ外装部材に固定されたＬＥＤライト１３３がある。ＬＥＤライト１３３は前述のとおりＡＦ補助光として用いられ、また動画撮影時にビデオライトとして用いられるが、ＬＥＤライトの配置も配光特性を優先して決定されるため、必ずしもシャッタの先幕吸着部３２０および後幕吸着部３２１との距離を均等にした状態で配置出来るとは限らない。
【００６０】
図１０のようにＬＥＤライト１３３が配置された際、ＬＥＤライト１３３と先幕吸着部３２０と、ＬＥＤライト１３３と後幕吸着部３２１の距離が異なるため、ＬＥＤライト１３３の長時間点灯による発熱もまた先幕吸着部３２０と後幕吸着部３２１の温度差の原因となり、シャッタ精度が低下してしまう。
【００６１】
そこで第２の実施例では、ＬＥＤライト１３３にグラファイトと両面テープによって構成された放熱部材としての放熱シート１７４の一端を貼り付け、放熱シート１７４のもう一端は、放熱シート１７４と先幕吸着部３２０、また放熱シート１７４と後幕吸着部３２０の距離が略均等になるようにＭＧ地板３１３上に貼り付けられている。このことで、ＬＥＤライト１３３で発生した熱は、放熱シート１７４を経由して先幕吸着部３２０と後幕吸着部３２１に略均等に拡散・伝達され、点灯による発熱がシャッタ精度に与える影響を抑制させることが出来る。
【００６２】
図１０では放熱シート１７４は、その放熱シートの一部分１７４ｃおよび１７４ｄに示すように拡大され、光軸を法線とする平面上で先幕吸着部３２０と後幕吸着部３２１を覆っているが、放熱シート１７４と先幕吸着部３２０および後幕吸着部３２１それぞれの距離が略均等になる構成であれば覆うことを必須とするものではない。
【００６３】
もちろん、ＬＥＤライト１３３の発熱をシャッタ以外の部材へ伝熱させることを禁止するものではなく、重要なのは発熱源とシャッタユニット３００の先幕吸着部３２０と後幕吸着部３２１の距離が不均衡で、発熱源の発生させる熱によって先幕吸着部３２０と後幕吸着部３２１に温度差が生じる場合、放熱部材と先幕吸着部３２０との距離と、放熱部材と後幕吸着部３２１との距離を略同等になるよう、発熱源からより遠い方の吸着部まで放熱部材を拡大延長して配置することである。
【００６４】
以上、本発明の好ましい実施形態について説明したが、本発明はこれらの実施形態に限定されず、その要旨の範囲内で種々の変形及び変更が可能である。
【符号の説明】
【００６５】
１０１・・・カメラ本体、１３０・・・撮像用ＣＭＯＳ、１３１・・・ＡＦモジュール、
１３２・・・ＡＦ制御部、１３３・・・ＡＦ補助光投光モジュール、１４１・・・電源、
１４２・・・電源制御部、１４３・・・表示部、１４４・・・メモリ、
１４５・・・記録装置、１５０・・・ミラーユニット、１５１・・・メインミラー、
１５２・・・サブミラー、１６０・・・ファインダユニット、
１６１・・・ファインダスクリーン、
１６２・・・ペンタプリズム（またはペンタミラー）、１６３・・・接眼レンズ、
１７１・・・無線通信モジュール、１７１ｂ・・無線通信制御部、
１７１ｃ・・無線モジュール基板、１７２・・・モジュール固定ネジ、
１７３・・・支持固定板金、１７４・・・放熱シート、２０１・・・・交換レンズ、
２０２・・・撮像レンズ、３００・・・シャッタユニット、
３０１・・・シャッタ制御部、３０２・・・シャッタ地板、３０２ａ・・シャッタ開口、
３０３・・・先幕羽根群、３０４・・・後幕羽根群、３０５・・・先幕駆動レバー、
３０５ａ・・先幕用アマチャ、３０５ｂ・・先幕コロ、３０５ｃ・・先幕コイルバネ、
３０６・・・先幕円筒部、３０７・・・先幕円筒軸、３０８・・・後幕駆動レバー、
３０８ａ・・後幕用アマチャ、３０８ｂ・・後幕コロ、３０８ｃ・・後幕コイルバネ、
３０９・・・後幕円筒部、３１０・・・後幕円筒軸、３１１・・・カムギア、
３１１ａ・・先幕カム、３１１ｂ・・後幕カム、３１２・・・カムギア軸、
３１３・・・ＭＧ地板、３１４・・・先幕用電磁石、３１５・・・後幕用電磁石、
３１６・・・モータ、３１６ａ・・ピニオンギア、３１７・・・減速ギア、
３１８・・・ギアカバー、３１９・・・カバー板
【図１】
2015225188.tif 000003
【図２】
2015225188.tif 000004
【図３】
2015225188.tif 000005
【図４】
2015225188.tif 000006
【図５】
2015225188.tif 000007
【図６】
2015225188.tif 000008
【図７】
2015225188.tif 000009
【図８】
2015225188.tif 000010
【図９】
2015225188.tif 000011
【図１０】
2015225188.tif 000012
【図１１】
2015225188.tif 000013